(57)【要約】【課題】検索に関して、ユーザーの利便性を向上する。【解決手段】画像形成装置１００は、画像読取ユニット２、抽出部５０２、文字認識部５０４、検索部５０５、付与部５０８及びファイル記憶部５１０を備える。画像読取ユニット２は、第１画像情報ＭＲＪ１を生成する。抽出部５０２は、第１画像情報ＭＲＪ１に基づいて、第１画像ＭＲ１から特定領域ＭＫを抽出する。文字認識部５０４は、特定領域ＭＫに含まれる文字列の画像情報に対応するテキスト情報ＴＸＪを生成する。検索部５０５は、テキスト情報ＴＸＪが示すテキストＴＸの意味と関連する情報を含むウェブページＷＰを検索する。付与部５０８は、文字列の画像情報にウェブページＷＰのリンク情報ＬＮＪを付与して、第２画像情報ＭＲＪ２を生成する。ファイル記憶部５１０は、第２画像情報ＭＲＪ２をファイルとして記憶する。特定領域ＭＫは、特定のマークが記載された領域を示す。【選択図】図３
2019207628.tif 000002
【特許請求の範囲】
【請求項１】
原稿に形成された第１画像を読み取り、第１画像情報を生成する読取部と、
前記第１画像情報に基づいて、前記第１画像から特定領域を抽出する抽出部と、
前記特定領域に含まれる文字列の画像情報に対して文字認識処理を実行して、前記文字列の画像情報に対応するテキスト情報を生成する認識部と、
前記テキスト情報が示すテキストの意味と関連する情報を含むウェブページを検索する検索部と、
前記文字列の画像情報に前記ウェブページのリンク情報を付与して、第２画像情報を生成する付与部と、
前記第２画像情報を記憶する記憶部と
を備え、
前記特定領域は、特定のマークが形成された領域を示す、電子機器。
【請求項２】
前記特定のマークは、マーカーのインクが塗布されていること、又は電子マーカーによる色画像が形成されていることを示し、
を示し、
前記特定領域は、前記マーカーのインクが塗布された領域、又は前記電子マーカーの前記色画像が形成された領域を示す、請求項１に記載の電子機器。
【請求項３】
前記特定領域の前記インク及び前記色画像の色を判定する判定部を更に備え、
前記検索部は、前記判定部の判定結果に応じて、前記ウェブページを検索する、請求項２に記載の電子機器。
【請求項４】
前記検索部は、前記判定部の判定結果に応じて、複数の検索サイトから１つの検索サイトを決定し、前記１つの検索サイトで前記ウェブページを検索する、請求項３に記載の電子機器。
【請求項５】
前記検索部は、第１所定個数の前記ウェブページを検索し、
前記付与部は、前記文字列の画像情報に対応付けて、前記第１所定個数のウェブページの各々のリンク情報を付与する、請求項１から請求項４のいずれか１項に記載の電子機器。
【請求項６】
第１所定個数のウェブページを選択する選択部を更に備え、
前記検索部は、第１検索サイトで前記ウェブページを検索すると共に、前記第１検索サイトと相違する第２検索サイトで前記ウェブページを検索し、
前記選択部は、前記第１検索サイトでの検索結果と、前記第２検索サイトでの検索結果とに基づいて、前記第１所定個数のウェブページを選択し、
前記付与部は、前記文字列の画像情報に対応付けて、前記第１所定個数のウェブページの各々のリンク情報を付与する、請求項１又は請求項２に記載の電子機器。
【請求項７】
前記選択部は、前記第１検索サイトでの検索順位の上位から第２所定個数のウェブページと、前記第２検索サイトでの検索順位の上位から前記第２所定個数のウェブページとに基づいて、前記第１所定個数のウェブページを選択し、
前記第２所定個数は、前記第１所定個数より多く、
前記第１所定個数のウェブページは、前記第１検索サイトでの検索順位の上位から前記第２所定個数のウェブページに含まれ、且つ、前記第２検索サイトでの検索順位の上位から前記第２所定個数のウェブページに含まれる、請求項６に記載の電子機器。
【請求項８】
前記選択部は、第１ウェブページ群と、第２ウェブページ群とを選択し、
前記第１ウェブページ群は、前記第１検索サイトでの検索順位の上位から前記第１所定個数のウェブページを示し、
前記第２ウェブページ群は、前記第２検索サイトでの検索順位の上位から前記第１所定個数のウェブページを示し、
前記付与部は、前記文字列の画像情報の一部に対応付けて、前記第１ウェブページ群のリンク情報を付与すると共に、前記文字列の画像情報の他の一部に対応付けて、前記第２ウェブページ群のリンク情報を付与する、請求項６に記載の電子機器。
【請求項９】
前記第１画像は、手書き文字列の画像を含む、請求項１から請求項８のいずれか１項に記載の電子機器。
【請求項１０】
前記ウェブページを示すウェブページ情報を取得する取得部を更に備え、
前記記憶部は、前記第２画像情報と対応付けて前記ウェブページ情報を記憶し、
前記付与部は、前記文字列の画像情報に対応付けて、前記記憶部に記憶された前記ウェブページ情報へのリンク情報を付与する、請求項１から請求項９のいずれか１項に記載の電子機器。
【発明の詳細な説明】
【技術分野】
【０００１】
本発明は、電子機器に関する。
【背景技術】
【０００２】
特許文献１に記載の検索システムは、携帯端末とサーバー装置とを備える。携帯端末の検索キーが押下された場合に、携帯端末は、表示されているテキスト情報を、サーバー装置に送信する。サーバー装置は、データベースを有する。サーバー装置は、携帯端末からテキスト情報を受信すると、テキスト情報が示すテキストの中からデータベースにある文字列を検出する。そして、サーバー装置は、検出された文字列の関連情報のＵＲＬ情報を、文字列に埋め込む埋込処理（リンク付け）を行う。埋込処理後のテキスト情報を、携帯端末に送信する。ユーザーは、埋込処理された文字列を選択することで、文字列の関連情報のウェブページを表示できる。
【先行技術文献】
【特許文献】
【０００３】
【特許文献１】特開２００９−２１１２７８号公報
【発明の概要】
【発明が解決しようとする課題】
【０００４】
特許文献１に記載の検索システムによれば、テキスト情報が示すテキストの中からデータベースにある文字列を検出し、埋込処理を行う。よって、ユーザーが検索を所望する文字列に対して埋込処理が実行されない可能性がある。この場合には、ユーザーの利便性が充分ではない可能性がある。
【０００５】
本発明は、上記課題に鑑みてなされたものであり、検索に関して、ユーザーの利便性を向上可能な電子機器を提供することを目的としている。
【課題を解決するための手段】
【０００６】
本発明に係る電子機器は、読取部と、抽出部と、認識部と、検索部と、付与部と、ファイル記憶部とを備える。前記読取部は、原稿に形成された第１画像を読み取り、第１画像情報を生成する。前記抽出部は、前記第１画像情報に基づいて、前記第１画像から特定領域を抽出する。前記認識部は、前記特定領域に含まれる文字列の画像情報に対して文字認識処理を実行して、前記文字列の画像情報に対応するテキスト情報を生成する。前記検索部は、前記テキスト情報が示すテキストの意味と関連する情報を含むウェブページを検索する。前記付与部は、前記文字列の画像情報に対応付けて、前記ウェブページのリンク情報を付与して、第２画像情報を生成する。前記記憶部は、前記第２画像情報を記憶する。前記特定領域は、特定のマークが記載された領域を示す。
【発明の効果】
【０００７】
本発明に係る電子機器によれば、検索に関して、ユーザーの利便性を向上できる。
【図面の簡単な説明】
【０００８】
【図１】本発明の実施形態に係る画像形成装置の構成の一例を示す図である。
【図２】本発明の実施形態に係る原稿に形成された第１画像の一例を示す図である。
【図３】本発明の実施形態に係る制御部の構成の一例を示す図である。
【図４】第２画像の一例を示す図である。
【図５】ファイル記憶部が記憶する情報の一例を示す図である。
【図６】制御部の処理の一例を示すフローチャートである。
【図７】制御部の処理の一例を示すフローチャートである。
【図８】ウェブページ表示画面の一例を示す画面図である。
【図９】第２画像を利用する場合における制御部の処理の一例を示すフローチャートである。
【図１０】制御部のページ決定処理の一例を示すフローチャートである。
【図１１】第２画像の一例を示す図である。
【発明を実施するための形態】
【０００９】
以下、本発明の実施形態について、図面（図１〜図１１）を参照しながら説明する。なお、図中、同一又は相当部分については同一の参照符号を付して説明を繰り返さない。
【００１０】
まず、図１を参照して、本発明の実施形態に係る画像形成装置１００の構成について説明する。図１は、画像形成装置１００の構成を示す図である。画像形成装置１００は、カラー複合機である。画像形成装置１００は、「電子機器」の一例に相当する。
【００１１】
図１に示すように、画像形成装置１００は、画像形成ユニット１、画像読取ユニット２、原稿搬送ユニット３、操作表示部４及び制御部５を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作表示部４は、ユーザーの操作を受け付ける。制御部５は、画像形成装置１００の動作を制御する。画像読取ユニット２は、「読取部」の一例に相当する。
【００１２】
画像形成ユニット１は、給送部１２、搬送部Ｌ、トナー供給部１３、画像形成部１４、定着部１６及び排出部１７を備える。画像形成部１４は、転写部１５を含む。
【００１３】
給送部１２は、用紙Ｐを搬送部Ｌへ供給する。搬送部Ｌは、用紙Ｐを転写部１５及び定着部１６を経由して排出部１７まで搬送する。
【００１４】
トナー供給部１３には、トナーコンテナが装着される。トナーコンテナは、画像形成部１４にトナーを供給する。画像形成部１４は、用紙Ｐに画像を形成する。
【００１５】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１６】
定着部１６は、用紙Ｐを加熱及び加圧し、用紙Ｐに形成された画像を用紙Ｐに定着する。排出部１７は、用紙Ｐを画像形成装置１００の外部へ排出する。
【００１７】
操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。
【００１８】
制御部５は、プロセッサー５１及び記憶部５２を備える。プロセッサー５１は、例えばＣＰＵ（Ｃｅｎｔｒａｌ  Ｐｒｏｃｅｓｓｉｎｇ  Ｕｎｉｔ）を備える。記憶部５２は、半導体メモリーのようなメモリーを備え、ＨＤＤ（Ｈａｒｄ  Ｄｉｓｋ  Ｄｒｉｖｅ）を備えてもよい。記憶部５２は、制御プログラムを記憶している。
【００１９】
次に、図１及び図２を参照して、本発明の実施形態に係る原稿Ｒに形成された第１画像ＭＲ１について説明する。図２は、原稿Ｒに形成された第１画像ＭＲ１の一例を示す図である。図２に示すように、第１画像ＭＲ１は、文字列画像ＭＣと、第１特定領域ＭＫ１と、第２特定領域ＭＫ２と、第３特定領域ＭＫ３とを含む。文字列画像ＭＣは、第１文字列画像ＭＣ１、第２文字列画像ＭＣ２及び第３文字列画像ＭＣ３を含む。第１特定領域ＭＫ１〜第３特定領域ＭＫ３の各々は、「特定領域」の一例に相当する。
【００２０】
第１文字列画像ＭＣ１は、第１文字列ＣＰ１の画像を示す。第１文字列ＣＰ１は、文字列「ｂｃｄｅ」を示す。また、第１文字列画像ＭＣ１は、第１特定領域ＭＫ１に含まれる。第１特定領域ＭＫ１は、マーカーのインクが塗布された領域を示す。具体的には、第１特定領域ＭＫ１は、マーカーの赤色のインクが塗布された領域を示す。
【００２１】
第２文字列画像ＭＣ２は、第２文字列ＣＰ２の画像を示す。第２文字列ＣＰ２は、文字列「ｆｇｈｉｊ」を示す。また、第２文字列画像ＭＣ２は、第２特定領域ＭＫ２に含まれる。第２特定領域ＭＫ２は、マーカーのインクが塗布された領域を示す。具体的には、第２特定領域ＭＫ２は、マーカーの黄色のインクが塗布された領域を示す。
【００２２】
第３文字列画像ＭＣ３は、第３文字列ＣＰ３の画像を示す。第３文字列ＣＰ３は、文字列「ｋｌｍｎｏｐ」を示す。また、第３文字列画像ＭＣ３は、第３特定領域ＭＫ３に含まれる。第３特定領域ＭＫ３は、マーカーのインクが塗布された領域を示す。具体的には、第３特定領域ＭＫ３は、マーカーの赤色のインクが塗布された領域を示す。
【００２３】
図２では、第１特定領域ＭＫ１に付したハッチングと、第３特定領域ＭＫ３に付したハッチングとの種類を同一にすることで、第１特定領域ＭＫ１と第３特定領域ＭＫ３とに赤色のインクが塗布されていることを示している。また、第２特定領域ＭＫ２に付したハッチングの種類を、第１特定領域ＭＫ１に付したハッチングの種類と相違させることで、第２特定領域ＭＫ２に黄色のインクが塗布されていることを示している。
【００２４】
次に、図１〜図３を参照して、本発明の実施形態に係る制御部５の構成について説明する。図３は、制御部５の構成の一例を示す図である。図３に示すように、制御部５は、第１取得部５０１と、抽出部５０２と、判定部５０３と、文字認識部５０４と、検索部５０５と、選択部５０６と、第２取得部５０７と、付与部５０８と、書込部５０９と、ファイル記憶部５１０とを備える。具体的には、制御部５のプロセッサー５１が制御プログラムを実行することによって、第１取得部５０１、抽出部５０２、判定部５０３、文字認識部５０４、検索部５０５、選択部５０６、第２取得部５０７、付与部５０８及び書込部５０９として機能する。また、制御部５のプロセッサー５１が制御プログラムを実行することによって、記憶部５２をファイル記憶部５１０として機能させる。
【００２５】
ファイル記憶部５１０は、第２画像情報ＭＲＪ２をファイルとして記憶する。例えば、ファイル記憶部５１０は、第２画像情報ＭＲＪ２をＰＤＦ（Ｐｏｒｔａｂｌｅ  Ｄｏｃｕｍｅｎｔ  Ｆｏｒｍａｔ）形式のファイルとして記憶する。第２画像情報ＭＲＪ２は、第２画像ＭＲ２を示す。第２画像ＭＲ２については、後述にて図４を参照して詳細に説明する。ファイル記憶部５１０は、「記憶部」の一例に相当する。
【００２６】
第１取得部５０１は、画像読取ユニット２から第１画像情報ＭＲＪ１を取得する。具体的には、画像読取ユニット２は、原稿Ｒに形成された第１画像ＭＲ１を読み取り、第１画像情報ＭＲＪ１を生成する。第１取得部５０１は、画像読取ユニット２によって生成された第１画像情報ＭＲＪ１を取得する。
【００２７】
抽出部５０２は、第１画像情報ＭＲＪ１に基づいて、第１画像ＭＲ１から特定領域ＭＫを抽出する。特定領域ＭＫは、第１画像ＭＲ１において特定のマークが記載された領域を示す。本発明の実施形態では、特定のマークは、マーカーのインクが塗布されていることを示す。また、特定領域ＭＫは、マーカーのインクが塗布された領域を示す。
【００２８】
判定部５０３は、特定領域ＭＫのインクの色ＣＬを判定する。
【００２９】
なお、本発明の実施形態では、特定のマークは、マーカーのインクが塗布されていることを示すが、本発明はこれに限定されない。特定のマークは、電子マーカーによる色画像が形成されていることを示してもよい。この場合には、特定領域ＭＫは、電子マーカーの色画像が形成された領域を示す。また、判定部５０３は、特定領域ＭＫの色画像の色ＣＬを判定する。「電子マーカー」とは、第１画像情報ＭＲＪ１に対応する第１画像ＭＲ１に対して、アプリケーションソフトウェア（例えば、「Ａｄｏｂｅ  Ａｃｒｏｂａｔ」（製品名））によって付与される半透明の色画像を示す。
【００３０】
なお、電子マーカーの色画像は、第１画像情報ＭＲＪ１に対して付与される。抽出部５０２は、電子マーカーの色画像が付与された第１画像ＭＲ１から特定領域ＭＫを抽出する。第１画像ＭＲ１は、第１画像情報ＭＲＪ１に電子マーカーの色画像が付与された画像を示す。
【００３１】
文字認識部５０４は、特定領域ＭＫに含まれる文字列画像情報ＭＣＪに対して文字認識処理を実行して、文字列画像情報ＭＣＪに対応するテキスト情報ＴＸＪを生成する。文字列画像情報ＭＣＪは、文字列画像ＭＣを示す。文字列画像ＭＣは、文字列ＣＰの画像を示す。テキスト情報ＴＸＪは、テキストＴＸを示す。文字認識部５０４は、「認識部」の一例に相当する。
【００３２】
本発明の実施形態では、文字列画像ＭＣは、図２に示すように、第１文字列画像ＭＣ１、第２文字列画像ＭＣ２及び第３文字列画像ＭＣ３を含む。第１文字列画像ＭＣ１は、第１文字列ＣＰ１を示す。第２文字列画像ＭＣ２は、第２文字列ＣＰ２を示す。第３文字列画像ＭＣ３は、第３文字列ＣＰ３を示す。テキストＴＸは、第１テキストＴＸ１、第２テキストＴＸ２及び第３テキストＴＸ３を含む。第１テキストＴＸ１は、第１文字列ＣＰ１に対応する。第２テキストＴＸ２は、第１文字列ＣＰ１に対応する。第３テキストＴＸ３は、第３文字列ＣＰ３に対応する。なお、本発明の実施形態では、文字列画像ＭＣは、手書きの文字列の画像を示す。文字列画像情報ＭＣＪは、「文字列の画像情報」に相当する。第１文字列画像情報ＭＣＪ１は、第１文字列画像ＭＣ１を示す。第２文字列画像情報ＭＣＪ２は、第２文字列画像ＭＣ２を示す。第３文字列画像情報ＭＣＪ３は、第３文字列画像ＭＣ３を示す。
【００３３】
検索部５０５は、テキスト情報ＴＸＪが示すテキストＴＸの意味と関連する情報を含むウェブページＷＰを検索する。図３に示すように、本発明の実施形態では、画像形成装置１００は、サーバー装置２００と通信可能に接続される。
【００３４】
サーバー装置２００は、第１検索サイトＳＴ１でのウェブページＷＰの検索処理と、第２検索サイトＳＴ２でのウェブページＷＰの検索処理とが可能に構成される。サーバー装置２００は、インターネットに接続されており、ウェブブラウザーを備える。第１検索サイトＳＴ１は、例えば「ＹＡＨＯＯ！（登録商標）」の検索エンジンを用いて検索する。第２検索サイトＳＴ２は、例えば「Ｇｏｏｇｌｅ（登録商標）」の検索エンジンを用いて検索する。
【００３５】
検索部５０５は、判定部５０３の判定結果に応じて、第１所定個数ＮＰ１のウェブページＷＰを検索する。具体的には、検索部５０５は、判定部５０３の判定結果に応じて、複数の検索サイトＳＴＮから１つの検索サイトＳＴＡを決定し、１つの検索サイトＳＴＡで第１所定個数ＮＰ１のウェブページＷＰを検索する。複数の検索サイトＳＴＮは、例えば、第１検索サイトＳＴ１と第２検索サイトＳＴ２とを含む。特定領域ＭＫのインクの色ＣＬが赤色である場合には、検索部５０５は、第１検索サイトＳＴ１で第１所定個数ＮＰ１のウェブページＷＰを検索する。また、特定領域ＭＫのインクの色ＣＬが黄色である場合には、検索部５０５は、第２検索サイトＳＴ２で第１所定個数ＮＰ１のウェブページＷＰを検索する。本発明の実施形態では、第１所定個数ＮＰ１は１個である。
【００３６】
選択部５０６は、第１所定個数ＮＰ１のウェブページＷＰを選択する。選択部５０６については、後述にて図１０を参照して詳細に説明する。
【００３７】
第２取得部５０７は、ウェブページ情報ＷＰＪを取得する。ウェブページ情報ＷＰＪは、第１所定個数ＮＰ１のウェブページＷＰを示す。具体的には、第２取得部５０７は、サーバー装置２００を介して、ウェブページ情報ＷＰＪをダウンロードして取得する。第２取得部５０７は、「取得部」の一例に相当する。
【００３８】
付与部５０８は、文字列画像情報ＭＣＪに対応付けて、ウェブページＷＰのリンク情報ＬＮＪを付与して、第２画像情報ＭＲＪ２を生成する。
【００３９】
書込部５０９は、第２画像情報ＭＲＪ２をファイルとしてファイル記憶部５１０に書き込む。
【００４０】
以上、図１〜図３を参照して説明したように、本発明の実施形態では、検索部５０５は、特定領域ＭＫに含まれる文字列ＣＰの意味と関連する情報を含むウェブページＷＰを検索する。そして、付与部５０８は、文字列画像情報ＭＣＪに対応付けて、ウェブページＷＰのリンク情報ＬＮＪを付与する。よって、ユーザーが検索を所望する文字列ＣＰを特定領域ＭＫに含めることによって、ユーザーは、リンク情報ＬＮＪが付与された文字列画像ＭＣを選択することで、文字列ＣＰの意味と関連するウェブページＷＰを表示できる。したがって、検索に関して、ユーザーの利便性を向上できる。
【００４１】
また、特定領域ＭＫは、マーカーでインクが塗布された領域、又は電子マーカーの色画像が形成された領域を示す。よって、ユーザーは、特定領域ＭＫを容易に指定できる。したがって、ユーザーの利便性を更に向上できる。
【００４２】
また、特定領域ＭＫに手書きの文字列ＣＰが含まれるため、検索部５０５は、特定領域ＭＫに含まれる文字列ＣＰの意味と関連する情報を含むウェブページＷＰを検索する。そして、付与部５０８は、文字列画像情報ＭＣＪに対応付けて、ウェブページＷＰのリンク情報ＬＮＪを付与する。よって、例えば、手書きのノートに特定のマークが記載されている場合であっても、リンク情報ＬＮＪが付与された文字列画像ＭＣを選択することで、文字列ＣＰの意味と関連するウェブページＷＰを表示できる。したがって、検索に関して、ユーザーの利便性を更に向上できる。
【００４３】
なお、本発明の実施形態では、特定領域ＭＫに含まれる文字列ＣＰが手書きの文字列ＣＰである場合について説明したが、本発明はこれに限定されない。特定領域ＭＫに含まれる文字列ＣＰが文字フォントから構成されてもよい。この場合には、文字認識部５０４は、文字認識処理を容易に実行できる。
【００４４】
次に、図２〜図４を参照して、第２画像ＭＲ２について説明する。図４は、第２画像ＭＲ２の一例を示す図である。
【００４５】
図４に示すように第２画像ＭＲ２は、文字列画像ＭＣと、第１特定領域ＭＫ１と、第２特定領域ＭＫ２と、第３特定領域ＭＫ３と、第１リンク画像ＭＬ１と、第２リンク画像ＭＬ２と、第３リンク画像ＭＬ３とを含む。文字列画像ＭＣは、第１文字列画像ＭＣ１、第２文字列画像ＭＣ２及び第３文字列画像ＭＣ３を含む。図４に示す第２画像ＭＲ２は、第１リンク画像ＭＬ１と、第２リンク画像ＭＬ２と、第３リンク画像ＭＬ３とを含む点で、図２に示す第１画像ＭＲ１と相違する。以下の説明では、図２に示す第１画像ＭＲ１と相違する点について主に説明し、第１画像ＭＲ１と同一の構成については説明を省略する。
【００４６】
第１リンク画像ＭＬ１は、第１ウェブページＷＰ１の第１リンク情報ＮＬＪ１を示す。第１リンク画像ＭＬ１は、付与部５０８によって、第１文字列画像ＭＣ１に対応づけて配置される。第１リンク画像ＭＬ１は、例えば、第１文字列画像ＭＣ１の下側に配置される。第１ウェブページＷＰ１は、第１文字列ＣＰ１の意味と関連する情報を含む。第１ウェブページＷＰ１は、検索部５０５によって検索される。具体的には、第１特定領域ＭＫ１のインクの色ＣＬが赤色であるため、検索部５０５は、第１検索サイトＳＴ１で第１所定個数ＮＰ１の第１ウェブページＷＰ１を検索する。第１リンク画像ＭＬ１は、例えば、「ｈｔｔｐｓ：／／ｂｃｄｅ．ｃｏ．ｊｐ／」を示す。
【００４７】
第２リンク画像ＭＬ２は、第２ウェブページＷＰ２の第２リンク情報ＮＬＪ２を示す。第２リンク画像ＭＬ２は、付与部５０８によって、第２文字列画像ＭＣ２に対応づけて配置される。第２リンク画像ＭＬ２は、例えば、第２文字列画像ＭＣ２の下側に配置される。第２ウェブページＷＰ２は、第２文字列ＣＰ２の意味と関連する情報を含む。第２ウェブページＷＰ２は、検索部５０５によって検索される。具体的には、第２特定領域ＭＫ２のインクの色ＣＬが黄色であるため、検索部５０５は、第２検索サイトＳＴ２で第１所定個数ＮＰ１の第２ウェブページＷＰ２を検索する。第２リンク画像ＭＬ２は、例えば、「ｈｔｔｐｓ：／／ｆｇｈｉｊ．ｃｏ．ｊｐ／」を示す。
【００４８】
第３リンク画像ＭＬ３は、第３ウェブページＷＰ３の第３リンク情報ＮＬＪ３を示す。第２リンク画像ＭＬ２は、付与部５０８によって、第３文字列画像ＭＣ３に対応づけて配置される。第３リンク画像ＭＬ３は、例えば、第３文字列画像ＭＣ３の下側に配置される。第３ウェブページＷＰ３は、第３文字列ＣＰ３の意味と関連する情報を含む。第３ウェブページＷＰ３は、検索部５０５によって検索される。具体的には、第３特定領域ＭＫ３のインクの色ＣＬが赤色であるため、検索部５０５は、第１検索サイトＳＴ１で第１所定個数ＮＰ１の第３ウェブページＷＰ３を検索する。第３リンク画像ＭＬ３は、例えば、「ｈｔｔｐｓ：／／ｋｌｍｎｏｐ．ｃｏ．ｊｐ／」を示す。
【００４９】
第１リンク画像ＭＬ１、第２リンク画像ＭＬ２及び第３リンク画像ＭＬ３は、文字列画像ＭＣと判別容易な色で形成される。例えば、文字列画像ＭＣが黒色である場合には、第１リンク画像ＭＬ１、第２リンク画像ＭＬ２及び第３リンク画像ＭＬ３は、青色で表示される。
【００５０】
以上、図２〜図４を参照して説明したように、本発明の実施形態では、検索部５０５は、検索サイトＳＴＡで第１所定個数ＮＰ１のウェブページＷＰを検索する。そして、付与部５０８は、第１文字列画像情報ＭＣＪ１〜第３文字列画像情報ＭＣＪ３の各々に対応付けて、第１リンク画像情報ＭＬＪ１〜第３リンク画像情報ＭＬＪ３の各々を付与する。第１リンク画像情報ＭＬＪ１〜第３リンク画像情報ＭＬＪ３の各々は、第１所定個数ＮＰ１のウェブページＷＰのリンク情報を示す。よって、ユーザーが第１所定個数ＮＰ１を決定する場合には、ユーザーの所望する第１所定個数ＮＰ１のウェブページＷＰの各々のリンク情報を付与できる。したがって、ユーザーの利便性を更に向上できる。
【００５１】
また、リンク画像ＭＬは、文字列画像ＭＣと判別容易な色で形成される。よって、ユーザーはリンク画像ＭＬが付与されていることを容易に認識できる。したがって、ユーザーの利便性を更に向上できる。
【００５２】
なお、本発明の実施形態では、付与部５０８は、第１文字列画像情報ＭＣＪ１〜第３文字列画像情報ＭＣＪ３の各々に対応付けて、第１リンク画像情報ＭＬＪ１〜第３リンク画像情報ＭＬＪ３の各々を付与するが、本発明はこれに限定されない。付与部５０８が、第１文字列画像情報ＭＣＪ１〜第３文字列画像情報ＭＣＪ３の各々に対応付けて、ウェブページＷＰのリンク情報ＬＮＪを付与すればよい。付与部５０８が、例えば、第１文字列画像情報ＭＣＪ１に、第１リンク情報ＮＬＪ１を埋め込んでもよい。また、付与部５０８が、例えば、第２文字列画像情報ＭＣＪ２に、第２リンク情報ＮＬＪ２を埋め込んでもよい。付与部５０８が、例えば、第３文字列画像情報ＭＣＪ３に、第３リンク情報ＮＬＪ３を埋め込んでもよい。
【００５３】
また、本発明の実施形態では、第１所定個数ＮＰ１が１個であるが、本発明はこれに限定されない。第１所定個数ＮＰ１が２個以上でもよい。第１所定個数ＮＰ１が、例えば２個である場合には、検索部５０５は、２個のウェブページＷＰを検索する。そして、付与部５０８は、例えば、第１文字列画像ＭＣ１〜第３文字列画像ＭＣ３の各々に対応付けて、２個のリンク画像ＭＬを配置する。
【００５４】
次に、図２〜図５を参照して、図２に示すファイル記憶部５１０が記憶する情報について説明する。図５は、ファイル記憶部５１０が記憶する情報の一例を示す図である。図５に示すように、ファイル記憶部５１０は、テキスト情報ＴＸＪと、リンク情報ＬＮＪと、ウェブページ情報ＷＰＪとを対応付けて記憶する。また、図２を参照して説明したように、ファイル記憶部５１０は、第２画像情報ＭＲＪ２を記憶する。
【００５５】
テキスト情報ＴＸＪは、第１テキスト情報ＴＸＪ１と、第２テキスト情報ＴＸＪ２と、第３テキスト情報ＴＸＪ３とを含む。
【００５６】
第１テキスト情報ＴＸＪ１は、第１テキストＴＸ１を示す。具体的には、第１テキスト情報ＴＸＪ１は、文字列「ｂｃｄｅ」を示す。第２テキスト情報ＴＸＪ２は、第２テキストＴＸ２を示す。具体的には、第２テキスト情報ＴＸＪ２は、文字列「ｆｇｈｉｊ」を示す。第３テキスト情報ＴＸＪ３は、第３テキストＴＸ３を示す。具体的には、第３テキスト情報ＴＸＪ３は、文字列「ｋｌｍｎｏｐ」を示す。
【００５７】
リンク情報ＬＮＪは、第１リンク情報ＮＬＪ１と、第２リンク情報ＮＬＪ２と、第３リンク情報ＮＬＪ３とを含む。第１リンク情報ＮＬＪ１は、第１ウェブページＷＰ１に対応するリンク情報を示す。第１リンク情報ＮＬＪ１は、例えば「ｈｔｔｐｓ：／／ｂｃｄｅ．ｃｏ．ｊｐ／」を示す。第２リンク情報ＮＬＪ２は、第２ウェブページＷＰ２に対応するリンク情報を示す。第２リンク情報ＮＬＪ２は、例えば「ｈｔｔｐｓ：／／ｆｇｈｉｊ．ｃｏ．ｊｐ／」を示す。第３リンク情報ＮＬＪ３は、第３ウェブページＷＰ３に対応するリンク情報を示す。第３リンク情報ＮＬＪ３は、例えば、「ｈｔｔｐｓ：／／ｋｌｍｎｏｐ．ｃｏ．ｊｐ／」を示す。
【００５８】
ウェブページ情報ＷＰＪは、第１ウェブページ情報ＷＰＪ１と、第２ウェブページ情報ＷＰＪ２と、第３ウェブページ情報ＷＰＪ３とを含む。
【００５９】
第１ウェブページ情報ＷＰＪ１は、第１ウェブページＷＰ１を示す。第１ウェブページ情報ＷＰＪ１のファイル名は、例えば「ｂｃｄｅ．ｈｔｍｌ」である。第１ウェブページ情報ＷＰＪ１は、図２に示す第２取得部５０７によって、サーバー装置２００を介してダウンロードされる。また、第１ウェブページ情報ＷＰＪ１は、図２に示す書込部５０９によって、第１テキスト情報ＴＸＪ１及び第１リンク情報ＬＮＪ１と対応付けて、ファイル記憶部５１０に書き込まれる。
【００６０】
第２ウェブページ情報ＷＰＪ２は、第２ウェブページＷＰ２を示す。第２ウェブページ情報ＷＰＪ２のファイル名は、例えば「ｆｇｈｉｊ．ｈｔｍｌ」である。第２ウェブページ情報ＷＰＪ２は、第２取得部５０７によって、サーバー装置２００を介してダウンロードされる。また、第２ウェブページ情報ＷＰＪ２は、書込部５０９によって、第２テキスト情報ＴＸＪ２及び第２リンク情報ＬＮＪ２と対応付けて、ファイル記憶部５１０に書き込まれる。
【００６１】
第３ウェブページ情報ＷＰＪ３は、第３ウェブページＷＰ３を示す。第３ウェブページ情報ＷＰＪ３のファイル名は、例えば「ｋｌｍｎｏｐ．ｈｔｍｌ」である。第３ウェブページ情報ＷＰＪ３は、第２取得部５０７によって、サーバー装置２００を介してダウンロードされる。また、第３ウェブページ情報ＷＰＪ３は、書込部５０９によって、第３テキスト情報ＴＸＪ３及び第３リンク情報ＬＮＪ３と対応付けて、ファイル記憶部５１０に書き込まれる。
【００６２】
以上、図２〜図５を参照して説明したように、本発明の実施形態では、第２取得部５０７がウェブページ情報ＷＰＪをダウンロードして取得する。そして、ファイル記憶部５１０は、第２画像情報ＭＲＪ２と対応付けてウェブページ情報ＷＰＪを記憶する。また、付与部５０８は、ファイル記憶部５１０に記憶されたウェブページ情報ＷＰＪへのリンク情報ＬＮＪを付与する。よって、インターネットに接続されていない場合であっても、リンク情報ＬＮＪが付与された文字列画像ＭＣを選択することで、ウェブページＷＰを表示できる。したがって、ユーザーの利便性を更に向上できる。
【００６３】
なお、本発明の実施形態では、第１ウェブページ情報ＷＰＪ１〜第３ウェブページ情報ＷＰＪ３の各々のファイル形式がＨＴＭＬ（ＨｙｐｅｒＴｅｘｔ  Ｍａｒｋｕｐ  Ｌａｎｇｕａｇｅ）形式であるが、本発明はこれに限定されない。第１ウェブページ情報ＷＰＪ１〜第３ウェブページ情報ＷＰＪ３の各々のファイル形式は、例えばＰＤＦ形式でもよい。
【００６４】
次に、図２〜図７を参照して、制御部５の処理について説明する。図６及び図７は、制御部５の処理の一例を示すフローチャートである。
図６に示すように、まず、ステップＳ１０１において、第１取得部５０１は、画像読取ユニット２から第１画像情報ＭＲＪ１を取得する。第１画像情報ＭＲＪ１は、原稿Ｒに形成された第１画像ＭＲ１に対応する。
次に、ステップＳ１０３において、抽出部５０２は、第１画像ＭＲ１が特定領域ＭＫを含むか否かを判定する。
第１画像ＭＲ１が特定領域ＭＫを含まないと抽出部５０２が判定した場合（ステップＳ１０３でＮＯ）には、処理がステップＳ１０５に進む。
そして、ステップＳ１０５において、書込部５０９が、第１画像情報ＭＲＪ１をファイル記憶部５１０に書き込み、処理が終了する。
第１画像ＭＲ１が特定領域ＭＫを含むと抽出部５０２が判定した場合（ステップＳ１０３でＹＥＳ）には、処理がステップＳ１０７に進む。
そして、ステップＳ１０７において、抽出部５０２が特定領域ＭＫを抽出し、文字認識部５０４は、特定領域ＭＫに含まれる文字列画像情報ＭＣＪに対して文字認識処理を実行して、文字列画像情報ＭＣＪに対応するテキスト情報ＴＸＪを生成する。
【００６５】
次に、ステップＳ１０９において、判定部５０３は、特定領域ＭＫのインクの色ＣＬが赤色であるか否かを判定する。
特定領域ＭＫのインクの色ＣＬが赤色ではないと判定部５０３が判定した場合（ステップＳ１０９でＮＯ）には、処理がステップＳ１１３に進む。特定領域ＭＫのインクの色ＣＬが赤色であると判定部５０３が判定した場合（ステップＳ１０９でＹＥＳ）には、処理がステップＳ１１１に進む。
そして、ステップＳ１１１において、検索部５０５は、検索サイトＳＴを第１検索サイトＳＴ１に決定し、処理がステップＳ１２１に進む。
ステップＳ１０９でＮＯの場合には、ステップＳ１１３において、判定部５０３は、特定領域ＭＫのインクの色ＣＬが黄色であるか否かを判定する。
特定領域ＭＫのインクの色ＣＬが黄色ではないと判定部５０３が判定した場合（ステップＳ１１３でＮＯ）には、処理がステップＳ１１７に進む。特定領域ＭＫのインクの色ＣＬが黄色であると判定部５０３が判定した場合（ステップＳ１１３でＹＥＳ）には、処理がステップＳ１１５に進む。
【００６６】
そして、ステップＳ１１５において、検索部５０５は、検索サイトＳＴを第２検索サイトＳＴ２に決定し、処理がステップＳ１２１に進む。
ステップＳ１１３でＮＯの場合には、ステップＳ１１７において、制御部５は、検索サイトＳＴを第１検索サイトＳＴ１に決定するか、検索サイトＳＴを第２検索サイトＳＴ２に決定するかの指示をユーザーから受け付ける。
次に、ステップＳ１１９において、検索部５０５は、ユーザーからの指示に基づいて、検索サイトＳＴを第１検索サイトＳＴ１又は第２検索サイトＳＴ２に決定する。
次に、ステップＳ１２１において、検索部５０５は、サーバー装置２００を介して、検索処理を実行する。
次に、ステップＳ１２３において、検索部５０５は、検索結果に基づいて、第１所定個数ＮＰ１のウェブページＷＰを選択する。検索部５０５は、例えば、検索結果における検索順位の上位から第１所定個数ＮＰ１のウェブページＷＰを選択する。
【００６７】
次に、図７に示すように、ステップＳ１２５において、第２取得部５０７は、ウェブページ情報ＷＰＪをダウンロードして取得する。ウェブページ情報ＷＰＪは、第１所定個数ＮＰ１のウェブページＷＰを示す。
次に、ステップＳ１２７において、書込部５０９は、ウェブページ情報ＷＰＪをファイル記憶部５１０に書き込む。
次に、ステップＳ１２９において、制御部５は、ウェブページ情報ＷＰＪに対応するリンク情報ＬＮＪを生成する。
次に、ステップＳ１３１において、付与部５０８は、特定領域ＭＫに含まれる文字列画像情報ＭＣＪに対応付けて、ウェブページＷＰのリンク情報ＬＮＪを付与する。
【００６８】
次に、ステップＳ１３３において、制御部５は、全ての特定領域ＭＫについて、リンク情報ＬＮＪを付与する処理が完了したか否かを判定する。
全ての特定領域ＭＫについて、リンク情報ＬＮＪを付与する処理が完了してはいないと制御部５が判定した場合（ステップＳ１３３でＮＯ）には、処理が図６のステップＳ１０７に戻る。全ての特定領域ＭＫについて、リンク情報ＬＮＪを付与する処理が完了したと制御部５が判定した場合（ステップＳ１３３でＹＥＳ）には、処理がステップＳ１３５に進む。
そして、ステップＳ１３５において、書込部５０９は、第２画像情報ＭＲＪ２をファイルとしてファイル記憶部５１０に書き込み、処理が終了する。第２画像情報ＭＲＪ２は、ウェブページＷＰのリンク情報ＬＮＪが付与された画像情報を示す。リンク情報ＬＮＪは、第１画像情報ＭＲＪ１の特定領域ＭＫに含まれる文字列画像情報ＭＣＪに対応付けて付与される。
【００６９】
なお、図６のステップＳ１０９〜ステップＳ１２３は、「ページ決定処理」の一例に対応する。「ページ決定処理」は、制御部５が、第１所定個数ＮＰ１のウェブページＷＰを決定する処理を示す。第１所定個数ＮＰ１のウェブページＷＰのリンク情報ＬＮＪは、付与部５０８によって、特定領域ＭＫに含まれる文字列画像情報ＭＣＪに対応付けて付与される。
【００７０】
以上、図２〜図７を参照して説明したように、本発明の実施形態では、判定部５０３が、特定領域ＭＫのインクの色ＣＬを判定する。検索部５０５は、判定部５０３の判定結果に応じて、複数の検索サイトＳＴＮから１つの検索サイトＳＴＡを決定し、１つの検索サイトＳＴＡでウェブページＷＰを検索する。複数の検索サイトＳＴＮは、例えば、第１検索サイトＳＴ１と第２検索サイトＳＴ２とを含む。よって、ユーザーはマーカーの色ＣＬで検索サイトＳＴＡを選択できる。したがって、ユーザーの利便性を更に向上できる。
【００７１】
なお、本発明の実施形態では、特定領域ＭＫは、マーカーのインクが塗布された領域を示すが、本発明はこれに限定されない。特定領域ＭＫは、特定のマークが記載された領域を示せばよい。特定のマークは、例えば、下線でもよいし、ダブルクォーテーションマークでもよい。特定のマークが下線である場合には、下線は、例えば第１文字列画像ＭＣ１の下側に記載される。特定のマークがダブルクォーテーションマークである場合には、ダブルクォーテーションマークは、例えば第１文字列画像ＭＣ１の前後に記載される。
【００７２】
次に、図１〜図５、図８及び図９を参照して、第２画像情報ＭＲＪ２をユーザーが利用する場合について説明する。図８は、ウェブページ表示画面７００の一例を示す画面図である。ウェブページ表示画面７００は、付与部５０８によって生成された第２画像情報ＭＲＪ２をユーザーが利用する場合にタッチパネル４１に表示される。
【００７３】
図８に示すように、ウェブページ表示画面７００は、第２画像ＭＲ２と、ウェブページ画像７１０とを含む。第２画像ＭＲ２は、図４に示す第２画像ＭＲ２と同一であるため、その説明を省略する。
【００７４】
ウェブページ画像７１０は、例えば第２画像ＭＲ２の第１リンク画像ＭＬ１がユーザーによってタッチされた場合に表示される。ウェブページ画像７１０は、第１ウェブページＷＰ１の画像を示す。ウェブページ画像７１０は、第１リンク画像７１１と、本文画像７１２とを含む。
【００７５】
第１リンク画像７１１は、第１リンク画像ＭＬ１と同一の画像を示す。すなわち、第１リンク画像７１１は、例えば、「ｈｔｔｐｓ：／／ｂｃｄｅ．ｃｏ．ｊｐ／」を示す。
【００７６】
本文画像７１２は、第１ウェブページＷＰ１に掲載された内容を示す。本文画像７１２は、例えば「“ｂｃｄｅ”は、・・・」と表示されている。
【００７７】
図９は、第２画像ＭＲ２を利用する場合における制御部５の処理の一例を示すフローチャートである。
まず、ステップＳ２０１において、制御部５は、第２画像ＭＲ２をタッチパネル４１に表示する。
次に、ステップＳ２０３において、制御部５は、リンク画像ＭＬがタッチされたか否かを判定する。リンク画像ＭＬは、第１リンク画像ＭＬ１と、第２リンク画像ＭＬ２と、第３リンク画像ＭＬ３とを含む。
次に、ステップＳ２０５において、制御部５は、リンク画像ＭＬに対応するウェブページ情報ＷＰＪをファイル記憶部５１０から読み出す。ウェブページ情報ＷＰＪは、第１ウェブページ情報ＷＰＪ１と、第２ウェブページ情報ＷＰＪ２と、第３ウェブページ情報ＷＰＪ３とを含む。
【００７８】
次に、ステップＳ２０７において、制御部５は、ウェブページ情報ＷＰＪに対応するウェブページ画像ＭＷＰをタッチパネル４１に表示する。ウェブページ画像ＭＷＰは、ウェブページＷＰの画像を示す。
次に、ステップＳ２０９において、制御部５は、ウェブページ画像ＭＷＰの表示を終了するか否かを判定する。具体的には、制御部５は、ユーザーによる操作に基づいて、ウェブページ画像ＭＷＰの表示を終了するか否かを判定する。
ウェブページ画像ＭＷＰの表示を終了しないと制御部５が判定した場合（ステップＳ２０９でＮＯ）には、処理がステップＳ２０７に戻る。ウェブページ画像ＭＷＰの表示を終了すると制御部５が判定した場合（ステップＳ２０９でＹＥＳ）には、処理がステップＳ２１１に進む。
そして、ステップＳ２１１において、制御部５は、第２画像ＭＲ２の表示を終了するか否かを判定する。具体的には、制御部５は、ユーザーによる操作に基づいて、第２画像ＭＲ２の表示を終了するか否かを判定する。
第２画像ＭＲ２の表示を終了しないと判定した場合（ステップＳ２１１でＮＯ）には、処理がステップＳ２０１に戻る。第２画像ＭＲ２の表示を終了すると判定した場合（ステップＳ２１１でＹＥＳ）には、処理が終了する。
【００７９】
以上、図１〜図５、図８及び図９を参照して説明したように、本発明の実施形態では、第２画像ＭＲ２の第１リンク画像ＭＬ１をユーザーがタッチすることによって、第１ウェブページＷＰ１の画像をタッチパネル４１に表示できる。同様にして、第２画像ＭＲ２の第２リンク画像ＭＬ２をユーザーがタッチすることによって、第２ウェブページＷＰ２の画像をタッチパネル４１に表示できる。また、第２画像ＭＲ２の第３リンク画像ＭＬ３をユーザーがタッチすることによって、第３ウェブページＷＰ３の画像をタッチパネル４１に表示できる。よって、ユーザーは、第１テキストＴＸ１〜第３テキストＴＸ３の各々の意味と関連する情報を含む第１ウェブページＷＰ１〜第３ウェブページＷＰ３を容易に表示できる。したがって、検索に関して、ユーザーの利便性を向上できる。
【００８０】
次に、図２〜図７及び図１０を参照して、制御部５のページ決定処理について更に説明する。図１０は、制御部５のページ決定処理の一例を示すフローチャートである。
図１０に示すように、まず、ステップＳ３０１において、検索部５０５は、第１検索サイトＳＴ１で第１ウェブページ群ＷＰＧ１を検索する。第１ウェブページ群ＷＰＧ１は、第１検索サイトＳＴ１での検索順位の上位から第２所定個数ＮＰ２のウェブページＷＰを示す。第２所定個数ＮＰ２は、第１所定個数ＮＰ１より多い。第２所定個数ＮＰ２は、例えば１０個である。
次に、ステップＳ３０２において、検索部５０５は、第２検索サイトＳＴ２で第２ウェブページ群ＷＰＧ２を検索する。第２ウェブページ群ＷＰＧ２は、第２検索サイトＳＴ２での検索順位の上位から第２所定個数ＮＰ２のウェブページＷＰを示す。
次に、ステップＳ３０３において、選択部５０６は、第１所定個数ＮＰ１のウェブページＷＰを選択する。具体的には、選択部５０６は、第１ウェブページ群ＷＰＧ１に含まれ、且つ第２ウェブページ群ＷＰＧ２に含まれる第１所定個数ＮＰ１のウェブページＷＰを選択する。そして、処理が図７のステップＳ１２５に進む。
【００８１】
以上、図２〜図７及び図１０を参照して説明したように、本発明の実施形態では、第１所定個数ＮＰ１のウェブページＷＰは、第１ウェブページ群ＷＰＧ１に含まれ、且つ第２ウェブページ群ＷＰＧ２に含まれる。よって、ユーザーが閲覧を所望するウェブページＷＰが、第１所定個数ＮＰ１のウェブページＷＰに含まれる可能性を高めることができる。したがって、ユーザーの利便性を更に向上できる。
【００８２】
なお、本発明の実施形態では、第１所定個数ＮＰ１のウェブページＷＰは、第１ウェブページ群ＷＰＧ１に含まれ、且つ第２ウェブページ群ＷＰＧ２に含まれるが、本発明はこれに限定されない。選択部５０６は、第１検索サイトＳＴ１での検索結果と、第２検索サイトＳＴ２での検索結果とに基づいて、第１所定個数ＮＰ１のウェブページＷＰを選択すればよい。例えば、選択部５０６が、ユーザーからの操作に基づいて、第１ウェブページ群ＷＰＧ１及び第２ウェブページ群ＷＰＧ２の中から第１所定個数ＮＰ１のウェブページＷＰを選択してもよい。この場合には、ユーザーの所望する第１所定個数ＮＰ１のウェブページＷＰの各々のリンク情報ＬＮＪを付与できる。したがって、ユーザーの利便性を更に向上できる。
【００８３】
次に、図２〜図７及び図１１を参照して、第２画像ＭＲ２について説明する。図１１は、第２画像ＭＲ２の一例を示す図である。図１１に示す第２画像ＭＲ２は、特定領域ＭＫに含まれる第１文字列画像情報ＭＣＪ１に、第１リンク画像情報ＭＬＪ１１と第１リンク画像情報ＭＬＪ１２とが付与される点で図４に示す第２画像ＭＲ２と相違する。以下の説明では、図４に示す第２画像ＭＲ２と相違する点について主に説明する。
【００８４】
第１特定領域ＭＫ１は、第１領域ＡＲ１と第２領域ＡＲ２とに分割される。第１領域ＡＲ１は、第１特定領域ＭＫ１のうちの左側の領域を示す。第２領域ＡＲ２は、第１特定領域ＭＫ１のうちの右側の領域を示す。第１文字列画像ＭＣ１は、第１文字列画像ＭＣ１１と第１文字列画像ＭＣ１２とに分割される。具体的には、第１文字列画像ＭＣ１は、文字列「ｂｃｄｅ」を示す。第１文字列画像ＭＣ１１は、文字列「ｂｃ」を示す。第１文字列画像ＭＣ１２は、文字列「ｄｅ」を示す。第１文字列画像情報ＭＣＪ１１は、第１文字列画像ＭＣ１１を示し、且つ「文字列の画像情報の一部」に相当する。第１文字列画像情報ＭＣＪ１２は、第１文字列画像ＭＣ１２を示し、且つ「文字列の画像情報の他の一部」に相当する。
【００８５】
第１リンク画像ＭＬ１１は、第１検索サイトＳＴ１で検索されたウェブページＷＰ１１のリンク情報ＬＮＪを示す。第１リンク画像ＭＬ１１は、付与部５０８によって第１文字列画像ＭＣ１１に対応付けて配置される。具体的には、第１リンク画像ＭＬ１１は、付与部５０８によって第１文字列画像ＭＣ１１の下側に配置される。第１リンク画像情報ＭＬＪ１１は、第１リンク画像ＭＬ１１を示す。
【００８６】
第１リンク画像ＭＬ１２は、第２検索サイトＳＴ２で検索されたウェブページＷＰ１２のリンク情報ＬＮＪを示す。第１リンク画像ＭＬ１２は、付与部５０８によって第１文字列画像ＭＣ１２に対応付けて配置される。具体的には、第１リンク画像ＭＬ１２は、付与部５０８によって第１文字列画像ＭＣ１２の下側に配置される。第１リンク画像情報ＭＬＪ１２は、第１リンク画像ＭＬ１２を示す。
【００８７】
第１リンク画像ＭＬ１１がユーザーによってタッチされた場合には、制御部５は、第１検索サイトＳＴ１で検索されたウェブページＷＰの画像を表示する。第１リンク画像ＭＬ１２がユーザーによってタッチされた場合には、制御部５は、第２検索サイトＳＴ２で検索されたウェブページＷＰの画像を表示する。
【００８８】
以上、図２〜図７及び図１１を参照して説明したように、本発明の実施形態では、付与部５０８は、第１文字列画像情報ＭＣＪ１１に対応付けて、第１リンク画像情報ＭＬＪ１１を付与すると共に、第１文字列画像情報ＭＣＪ１２に対応付けて、第１リンク画像情報ＭＬＪ１２を付与する。よって、ユーザーは、第１検索サイトＳＴ１での検索結果と、第２検索サイトＳＴ２での検索結果とを確認できる。したがって、ユーザーの利便性を更に向上できる。
【００８９】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９０】
（１）図１を参照して説明したように、本発明の実施形態では、「電子機器」が画像形成装置１００であるが、本発明はこれに限定されない。「電子機器」は、インターネットに接続可能に構成され、画像読取ユニット２と制御部５とを備えればよい。「電子機器」は、例えば、スマートフォンでもよい。この場合には、スマートフォンのカメラが画像読取ユニットに相当する。
【００９１】
（２）図１を参照して説明したように、画像形成装置１００が複合機であるが、本発明はこれに限定されない。画像形成装置１００が画像読取ユニット２と制御部とを備えればよい。画像形成装置１００は、例えば、スキャナー装置でもよい。
【００９２】
（３）図１〜図３を参照して説明したように、サーバー装置２００が検索処理を実行するが、本発明はこれに限定されない。画像形成装置１００が検索処理を実行してもよい。この場合には、画像形成装置１００がインターネットに接続可能に構成される。
【産業上の利用可能性】
【００９３】
本発明は、電子機器の分野に利用可能である。
【符号の説明】
【００９４】
１００    画像形成装置（電子機器）
１    画像形成ユニット
１４    画像形成部
２    画像読取ユニット（読取部）
４    操作表示部
４１    タッチパネル
５    制御部
５１    プロセッサー
５２    記憶部
５０１    第１取得部
５０２    抽出部
５０３    判定部
５０４    文字認識部
５０５    検索部
５０６    選択部
５０７    第２取得部（取得部）
５０８    付与部
５０９    書込部
５１０    ファイル記憶部（記憶部）
ＭＲ１    第１画像
ＭＲＪ１    第１画像情報
ＭＲ２    第２画像
ＭＲＪ２    第２画像情報
ＭＫ    特定領域
ＭＫ１    第１特定領域
ＡＲ１    第１領域
ＡＲ２    第２領域
ＭＫ２    第２特定領域
ＭＫ３    第３特定領域
ＭＣＪ１    第１文字列画像情報（文字列の画像情報）
ＭＣＪ１１    第１文字列画像情報（文字列の画像情報の一部）
ＭＣＪ１２    第１文字列画像情報（文字列の画像情報の他の一部）
ＭＣＪ２    第２文字列画像情報（文字列の画像情報）
ＭＣＪ３    第３文字列画像情報（文字列の画像情報）
ＭＣ１    第１文字列画像
ＭＣ１１    第１文字列画像
ＭＣ１２    第１文字列画像
ＭＣ２    第２文字列画像
ＭＣ３    第３文字列画像
ＣＰ１    第１文字列
ＣＰ２    第２文字列
ＣＰ３    第３文字列
ＴＸ１    第１テキスト
ＴＸ２    第２テキスト
ＴＸ３    第３テキスト
ＴＸＪ１    第１テキスト情報
ＴＸＪ２    第２テキスト情報
ＴＸＪ３    第３テキスト情報
ＭＬＪ１、ＭＬＪ１１、ＭＬＪ１２    第１リンク画像情報
ＭＬＪ２    第２リンク画像情報
ＭＬＪ３    第３リンク画像情報
ＭＬ１、ＭＬ１１、ＭＬ１２    第１リンク画像
ＭＬ２    第２リンク画像
ＭＬ３    第３リンク画像
ＬＮＪ    リンク情報
ＬＮＪ１    第１リンク情報
ＬＮＪ２    第２リンク情報
ＬＮＪ３    第３リンク情報
ＮＰ１    第１所定個数
ＮＰ２    第２所定個数
ＳＴ１    第１検索サイト
ＳＴ２    第２検索サイト
ＷＰ    ウェブページ
ＷＰＧ１    第１ウェブページ群
ＷＰＧ２    第２ウェブページ群
ＷＰ１    第１ウェブページＷＰ１
ＷＰ２    第２ウェブページＷＰ２
ＷＰ３    第３ウェブページＷＰ３
ＷＰＪ    ウェブページ情報
ＣＬ    色
【図１】
2019207628.tif 000003
【図２】
2019207628.tif 000004
【図３】
2019207628.tif 000005
【図４】
2019207628.tif 000006
【図５】
2019207628.tif 000007
【図６】
2019207628.tif 000008
【図７】
2019207628.tif 000009
【図８】
2019207628.tif 000010
【図９】
2019207628.tif 000011
【図１０】
2019207628.tif 000012
【図１１】
2019207628.tif 000013